(57)【要約】【課題】照明前板を突出する前片の背面に容易に当接させることができて、照明前板の取り付けを容易とする。【解決手段】収納部２０の前面の開口を鏡３付き扉２２で開閉する二つのキャビネット部２１の間に連通空間５を形成し、キャビネット部２１ａの側板２７に挿通口２８を形成して連通空間５に連通する照明収納空間６を形成し、照明収納空間６内に照明器具７を設けると共に照明収納空間６の前端部に照明前板６０を取り付け、連通空間５内に照明器具７からの光を反射させる反射部８０を設けてなるミラーキャビネット２の製造方法である。反射部８０を備える反射部材８の前片８１が、キャビネット部２１ａの側板２７から照明収納空間６側に突出した状態で、照明前板６０を取り付けるにあたり、照明収納空間６の底部に薄片６２を載置し、該薄片６２の一部に照明前板６０を載置し、薄片６２の他部を摘まんで照明前板６０の前面を前片８１の背面に当接させる。【選択図】  図１
2010253062.tif 000002
【特許請求の範囲】
【請求項１】
左右の側板の間を収納部とすると共に該収納部の前面の開口を鏡を備えた扉で開閉するキャビネット部を間隔をあけて複数並設し、隣接するキャビネット部の間とその後方にキャビネット部の前方に連通する連通空間を形成し、連通空間の両側のキャビネット部のうちの一方のキャビネット部の該連通空間側の側板に挿通口を形成して、該一方のキャビネット部内の一部を前記挿通口を介して連通空間に連通する照明収納空間とし、該一方のキャビネット部内の照明収納空間と収納部とを仕切る仕切り板を備え、前記照明収納空間内に照明器具を設けると共に照明収納空間の両側の側板と仕切り板との間の前端部に照明前板を取り付け、前記一方のキャビネット部の連通空間側の端縁の後方から他方のキャビネット部の連通空間側の端縁にかけての連通空間内に、照明器具からの光を連通空間を介して扉の前方に反射させる反射部を設けて成るミラーキャビネットの製造方法において、前記反射部を備える反射部材を、照明収納空間の連通空間側の側板の前端面に取り付けられる一方の前片と、該一方の前片の連通空間側の端部から側板に沿って後方に連設されて前記挿通口に対応する部分に透光部を備えた連設片と、連設片の後端部から他方のキャビネット部の連通空間側の側板の前端部にかけて設けられる反射部と、反射部の前端部から連設され他方のキャビネット部の側板の前端面に取り付けられる他方の前片と、で構成し、照明収納空間の前面の扉を開ける又は取り外すと共に反射部材の一方の前片を照明収納空間の連通空間側の側板の前端面に取り付けて該一方の前片の先端を側板の前端面の照明収納空間側の端縁よりも照明収納空間側に突出させた状態で照明前板を取り付けるにあたって、照明収納空間の連通空間側と反対側の底部に照明前板の背面が当接する被当接部を設け、照明収納空間の底部に薄片を載置すると共に該薄片の一部の上面に照明前板を載置し、薄片の他部を摘まんで動かすことで照明前板の一側端部の前面を一方の前片の突出する背面に当接させ、照明前板の他側端部の背面を被当接部に当接させ、照明前板をキャビネット部に固定することを特徴とするミラーキャビネットの製造方法。
【請求項２】
薄片は、照明前板の一側端部の前面を一方の前片の背面に当接させると共に、照明前板の他側端部の背面を被当接部に当接させた後、指で摘まんだ他部を照明前板の下面と照明収納空間の底部との間に押し込んで収納することを特徴とする請求項１記載のミラーキャビネットの製造方法。
【発明の詳細な説明】
【技術分野】
【０００１】
本発明は、ミラーキャビネットの製造方法に関するものである。
【背景技術】
【０００２】
従来より、洗面台の上等に設けられるミラーキャビネットが知られている（例えば特許文献１参照）。
【０００３】
特許文献１には、前面に複数の鏡を並設し、複数の鏡の間に照明器具を設けて、鏡の前方に光を照射するミラーキャビネットを備えた洗面化粧台が開示されている。
【先行技術文献】
【特許文献】
【０００４】
【特許文献１】特開平６−２０９８６７号公報
【発明の概要】
【発明が解決しようとする課題】
【０００５】
上記洗面化粧台では、鏡の間に前方に開口する平面視略コ字状をした収納部材を設け、収納部材内に照明器具を収納し、収納部材の前面開口に透光部材からなるカバーを設けていた。
【０００６】
このものにあっては、カバーを介して照明器具の光が直接見える直接照明となり、眩しくなってしまうものであった。そこで本出願人により、光が照射される部分の前面にカバーを設ける必要がなく、鏡の間の光が照射される部分の幅を広くとる必要がなく、直接照明とならず眩しくないミラーキャビネットが開発された（特願２００８−２８８０９７号参照）。
【０００７】
このミラーキャビネットは、図１に示すように、収納部２０の前面の開口を鏡３を備えた扉２２で開閉するキャビネット部２１を複数並設してなるもので、前記キャビネット部２１の間とその後方に、キャビネット部２１の前方に連通する連通空間５を形成している。連通空間５の両側のキャビネット部２１のうちの一方のキャビネット部２１ａの該連通空間５側の側板２７に挿通口２８を形成し、該一方のキャビネット部２１ａ内の一部を、前記挿通口２８を介して連通空間５に連通する照明収納空間６とし、該一方のキャビネット部２１ａ内の照明収納空間６と収納部２０とを仕切る仕切り板２９を備え、前記照明収納空間６内に照明器具７を設けると共に照明収納空間６の両側の側板２７と仕切り板２９との間の底部上の前端部に照明前板６０を取り付けている。前記一方のキャビネット部２１ａの連通空間５側の端縁の後方から他方のキャビネット部２１ｂの連通空間５側の端縁にかけての連通空間５内に、照明器具７からの光を連通空間５を介して扉２２の前方に反射させる反射部８０を設けて構成されるものである。
【０００８】
反射部８０が設けられる反射部材８は、照明収納空間６の連通空間５側の側板２７の前端面に取り付けられる一方の前片８１と、該一方の前片８１の連通空間５側の端部から側板２７に沿って後方に連設されて前記挿通口２８に対応する部分に透光部を備えた連設片８２と、連設片８２の後端部から他方のキャビネット部２１ｂの連通空間５側の側板２７の前端部にかけて設けられる反射部８０と、反射部８０の前端部から連設され他方のキャビネット部２１ｂの側板２７の前端面に取り付けられる他方の前片８３と、で構成される。一方の前片８１は、その先端が、側板２７の前端面の照明収納空間６側の端縁よりも照明収納空間６側に突出させた状態で取り付けられ、照明前板６０の一側端部６０ａを覆い隠して、照明前板６０の一側端部６０ａと側板２７との突き合わせ部が見えないようにしている。
【０００９】
ところで照明前板６０は、照明収納空間６に設置される照明器具７を交換する時に取り外され、照明器具７の交換後に再度取り付けられるもので、照明器具７の交換が容易となるように、反射部材８は取り外さず照明前板６０のみを取り外せばよいように設計されている。そして、照明器具７の交換時のみならずミラーキャビネット２の製造時においても、反射部材８がキャビネット部２１に固定されてその一方の前片８１の先端が照明収納空間６側に突出する状態で、照明前板６０を取り付けるようになっている。照明前板６０を取り付けるためには、照明前板６０の一側端部６０ａの前面を一方の前片８１の背面に当接させて、照明前板６０を照明収納空間６の前端部に位置させる必要がある。
【００１０】
しかしながら、照明前板６０の一側端部６０ａの前面を一方の前片８１の背面に当接させようとすると照明前板６０の一側端部６０ａを後方より前方に移動させなければならないが、指を照明前板６０の後方に挿入することができず、照明前板６０の一側端部６０ａの背面を前方に押して照明前板６０を照明収納空間６の前端部に位置させることができないため、照明前板６０を取り付け難いものであった。
【００１１】
本発明は上記の従来の問題点に鑑みて発明したものであって、その目的とするところは、照明前板の一側端部の前面を一方の前片の背面に容易に当接させることができて、照明前板の取り付けが容易なミラーキャビネットの製造方法を提供することを課題とするものである。
【課題を解決するための手段】
【００１２】
前記課題を解決するために本発明の請求項１に係る発明は、左右の側板２７の間を収納部２０とすると共に該収納部２０の前面の開口を鏡３を備えた扉２２で開閉するキャビネット部２１を間隔をあけて複数並設し、隣接するキャビネット部２１の間とその後方にキャビネット部２１の前方に連通する連通空間５を形成し、連通空間５の両側のキャビネット部２１のうちの一方のキャビネット部２１ａの該連通空間５側の側板２７に挿通口２８を形成して、該一方のキャビネット部２１ａ内の一部を前記挿通口２８を介して連通空間５に連通する照明収納空間６とし、該一方のキャビネット部２１ａ内の照明収納空間６と収納部２０とを仕切る仕切り板２９を備え、前記照明収納空間６内に照明器具７を設けると共に照明収納空間６の両側の側板２７と仕切り板２９との間の前端部に照明前板６０を取り付け、前記一方のキャビネット部２１ａの連通空間５側の端縁の後方から他方のキャビネット部２１ｂの連通空間５側の端縁にかけての連通空間５内に、照明器具７からの光を連通空間５を介して扉２２の前方に反射させる反射部８０を設けて成るミラーキャビネット２の製造方法において、前記反射部８０を備える反射部材８を、照明収納空間６の連通空間５側の側板２７の前端面に取り付けられる一方の前片８１と、該一方の前片８１の連通空間５側の端部から側板２７に沿って後方に連設されて前記挿通口２８に対応する部分に透光部を備えた連設片８２と、連設片８２の後端部から他方のキャビネット部２１ｂの連通空間５側の側板２７の前端部にかけて設けられる反射部８０と、反射部８０の前端部から連設され他方のキャビネット部２１ｂの側板２７の前端面に取り付けられる他方の前片８３と、で構成し、照明収納空間６の前面の扉２２を開ける又は取り外すと共に反射部材８の一方の前片８１を照明収納空間６の連通空間５側の側板２７の前端面に取り付けて該一方の前片８１の先端を側板２７の前端面の照明収納空間６側の端縁よりも照明収納空間６側に突出させた状態で照明前板６０を取り付けるにあたって、照明収納空間６の連通空間５側と反対側の底部に照明前板６０の背面が当接する被当接部６１を設け、照明収納空間６の底部に薄片６２を載置すると共に該薄片６２の一部の上面に照明前板６０を載置し、薄片６２の他部を摘まんで動かすことで照明前板６０の一側端部６０ａの前面を一方の前片８１の突出する背面に当接させ、照明前板６０の他側端部６０ｂの背面を被当接部６１に当接させ、照明前板６０をキャビネット部２１に固定することを特徴とするものである。
【００１３】
また本発明の請求項２に係る発明は、請求項１に係る発明において、薄片６２は、照明前板６０の一側端部６０ａの前面を一方の前片８１の突出する背面に当接させると共に、照明前板６０の他側端部６０ｂの背面を被当接部６１に当接させた後、指で摘まんだ他部を照明前板６０の下面と照明収納空間６の底部との間に押し込んで収納することを特徴とするものである。
【発明の効果】
【００１４】
請求項１に係る発明においては、薄片上に照明前板を載置して薄片を摘まんで動かすことで、容易に照明前板の一側端部の前面を一方の前片の背面に当接させることができて、照明前板を照明収納空間の前端部に位置させて固定する作業が容易となる。
【００１５】
請求項２に係る発明においては、次回照明前板を取り外して取り付ける際に薄片を利用することができ、また収納している薄片が邪魔にならない。
【図面の簡単な説明】
【００１６】
【図１】ミラーキャビネットの一実施形態を示し、（ａ）は平断面図であり、（ｂ）は正面図であり、（ｃ）は照明収納空間を通る面で切断した側断面図であり、（ｄ）は（ａ）の要部拡大図である。
【図２】同上のミラーキャビネットの扉を除いた斜視図である。
【図３】ミラーキャビネットを備えた洗面化粧台の全体斜視図である。
【図４】（ａ）〜（ｅ）は照明前板の取り付けを説明する図である。
【発明を実施するための形態】
【００１７】
以下、本発明について添付図面に示す実施形態に基いて説明する。本発明のミラーキャビネット２は、図３に示すように洗面化粧台４の洗面台１上に設置される。
【００１８】
洗面台１は、洗面台本体１１の上面に洗面ボウル１２を備えている。洗面台本体１１は、詳細な図示はしないが、前面及び上面が開口する箱状をしたもので、内部が収納空間や配管設置空間となり、扉１３や引出し１４により前面の開口が開閉され、上面の開口は洗面ボウル１２を備えたカウンターにより閉塞される。
【００１９】
ミラーキャビネット２は、図１、図２に示すように、底板２６と左右両側の側板２７と天板（図示せず）とからなる前面が開口する箱状をしたキャビネット部２１と、キャビネット部２１の前面の開口を開閉自在に閉塞し、前面に鏡３を備えた扉２２と、で主体が構成される。
【００２０】
キャビネット部２１及び扉２２は、図１、図２に示すように、間隔をあけて複数並設されるもので、本実施形態では横に三個並設され、複数のキャビネット部２１の背板２４が一枚の背板部材２３に固定される。キャビネット部２１内は収納部２０となり、棚板２５が適宜設けられ、この棚板２５と底板２６とが収納部２０の底部となる。
【００２１】
背板部材２３は、図３に示すように、キャビネット部２１の収納部２０の底板２６よりも下方に突出させてバックガード２３ａとし、バックガード２３ａの下端を洗面台１のカウンターの洗面ボウル１２の後方の部分に接続し、洗面台１から上方に立設させる。また、背板部材２３をキャビネット部２１の底板２６よりも下方に突出させずに、部屋の内壁等に直接固定してもよく、この場合には洗面化粧台４としてでなく単独のミラーキャビネット２として利用することができる。
【００２２】
隣接するキャビネット部２１の間とその後方には、キャビネット部２１の前方に連通する連通空間５が形成されるもので、本実施形態では、図２に示すように、連通空間５の両側のキャビネット部２１の互いに対向する側板２７の間に形成される。
【００２３】
そして、連通空間５の両側のキャビネット部２１のうちの一方のキャビネット部２１ａの鏡３及び扉２２の後方に、連通空間５に連通し照明器具７を収納する照明収納空間６を形成し、この照明収納空間６内に照明器具７を設けるものである。本実施形態では、図２に示すように、中央のキャビネット部２１を一方のキャビネット部２１ａとすると共に、その両側のキャビネット部２１を他方のキャビネット部２１ｂとして、一方のキャビネット部２１ａとその両側の他方のキャビネット部２１ｂとの間にそれぞれ連通空間５を形成し、一方のキャビネット部２１ａの側板２７の上下方向の中間部に、所定の上下長さ及び前後深さの開口又は切欠からなる挿通口２８を形成し、該挿通口２８と連通する、キャビネット部２１内の収納部２０の一部を照明収納空間６としている。本実施形態では、一方のキャビネット部２１ａの両側板２７の挿通口２８の上端縁間と下端縁間とに棚板２５を架設し、更に、照明器具７を収納する照明収納空間６とその他の物を収納する収納部２０とを仕切る仕切り板２９を両棚板２５間に設けてある。照明器具７としては、本実施形態では蛍光灯からなる管球が用いられ、長手方向を上下に向けて照明収納空間６内に設置されるが、特に管球に限定されず、白熱灯のような点状光源を複数設けてもよい。
【００２４】
照明収納空間６の両側の壁となる側板２７と仕切り板２９との間の前端部に照明前板６０が取り付けられる。照明前板６０は、左右の幅は、照明収納空間６の左右の幅となる側板２７と仕切り板２９との間の距離より若干（１〜５ｍｍ程度）短い長さとなっており、上下の長さは、照明収納空間６の上下の長さとなる棚板２５間の距離より若干（１〜５ｍｍ程度）短い長さとなっており、側板２７と仕切り板２９と棚板２５とに遊びをもって挿入される。
【００２５】
そして、一方のキャビネット部２１ａの連通空間５側の端縁の後方から他方のキャビネット部２１ｂの連通空間５側の端縁にかけての連通空間５内に、照明器具７からの光を連通空間５を介して鏡３の前方に反射させる反射部８０を設けるもので、本実施形態では、反射部８０は反射部材８に設けられる。
【００２６】
反射部材８は、図１に示すように、一方の前片８１と、連設片８２と、反射部８０と、他方の前片８３と、で構成される。一方の前片８１は、照明収納空間６の連通空間５側の側板２７の前端面に取り付けられるもので、その先端を側板２７の照明収納空間６側の端縁よりも照明収納空間６側に突出させ、照明前板６０の側端部を覆い隠して、照明前板６０の側端部と側板２７との突き合わせ部が見えないようにしている。
【００２７】
連設片８２は、一方の前片８１の連通空間５側の端部から側板２７に沿って後方に連設されるもので、側板２７の挿通口２８に対応する部分に透光部を備えている。透光部は、開口又は切欠を形成したり、あるいは合成樹脂やガラス等の透明な部材を嵌め込んだり一体に形成したりして、透光性を備えていればよく、形態は特に限定されない。連設片８２の後端部から反射部８０が連設される。
【００２８】
反射部８０は、連設片８２の後端部から他方のキャビネット部２１ｂの連通空間５側の側板２７の前端部にかけての連通空間５内に設けられる、前方に凹となる板状をしたもので、反射面となる前面は光を拡散（乱反射）させる。反射部８０の前端部から他方の前片８３が連設される。他方の前片８３は、他方のキャビネット部２１ｂの側板２７の前端面に取り付けられる。他方の前片８３と一方の前片８１は、釘やビス等の固着具により、あるいは、前片８１、８３の側板２７側の面に突起を設けて、側板２７の前端面に突起をはめ込むことにより、側板２７の前端面に固定される。
【００２９】
上述したミラーキャビネット２は、使用者がミラーキャビネット２の前方に立って、照明器具７を点灯させると、照明器具７からの照射光が側板２７の挿通口２８を介して連通空間５へと進行し、反射部８０の反射面に反射して、キャビネット部２１の間から前方へと照射される。これにより、使用者の前面が間接照明により（すなわち乱反射した光により）照射されて、直接照明のように眩しくなってしまうことがないものである。
【００３０】
また、キャビネット部２１の間の反射部８０を介した間接照明とすることで、キャビネット部２１の間に透光性のカバーを設けたりする必要がなく、外観をシンプルにすることができる。
【００３１】
また、照明器具７の交換は、鏡３を設けた扉２２を開け、照明前板６０を取り外して照明収納空間６を前方に露出させて行う。このため、反射部材８は取り外さず照明前板６０のみを取り外せばよいように設計されており、照明器具７の交換時のみならずミラーキャビネット２の製造時においても、反射部材８がキャビネット部２１に固定されて一方の前片８１が照明収納空間６側に突出する状態で、照明前板６０を取り付けるようになっている。
【００３２】
照明収納空間６の連通空間５側と反対側の端部に、照明前板６０の背面が当接する被当接部６１が設けてある。本実施形態の被当接部６１は、縦片６１ａと縦片６１ａの下端から後方に連設する横片とからなる側面視略Ｌ字状をしたＬ字部材で構成してあり、照明収納空間６の連通空間５側と反対側の端部の底部に横片を載置し、側板２７に固定するか横片を底部に固定して取り付けられる。そして、縦片６１ａの前面に照明前板６０の背面が当接するもので、縦片６１ａの前面は、側板２７の前端面から照明前板６０の厚み分後方に位置するように取り付けられる。以下、照明前板６０の取り付けについて説明する。
【００３３】
まず、図４（ａ）に示すように、照明収納空間６の底部に薄片６２を載置する。薄片６２は、照明収納空間６の上下の長さとなる棚板２５間の距離と、照明前板６０の上下の長さとの差よりも薄い厚みを有する板状のもので、材質は特に限定されないが、照明収納空間６の底部と摺動する下面は摩擦抵抗が小さい方が好ましく、照明前板６０が載置される上面は摩擦抵抗が大きい方が好ましい。本実施形態では、薄片６２は略矩形状をしており、長手方向の一側端側を照明収納空間６の底部に載置し、他側端側を底部から前方に突出するように載置する。
【００３４】
次に、図４（ｂ）に示すように、この薄片６２の一部の上面、すなわち照明収納空間６の底部に載置された一側端側の上面に照明前板６０を載置する。照明前板６０は、一側端部６０ａ（一方の前片８１側の側端部）の前面が一方の前片８１の背面の後方に位置し、他側端部６０ｂ（仕切り板２９側の側端部）の背面が縦片６１ａの前面の前方に位置するように傾斜して載置される。
【００３５】
次に、図４（ｃ）に示すように、薄片６２の前記照明前板６０を載置していない他部を摘まんで薄片６２を動かすことで、照明前板６０を動かす。照明前板６０は、一側端部６０ａの前面を前方に移動させると共に他側端部６０ｂの背面を後方に移動させていき、一側端部６０ａの前面を一方の前片８１の背面に近接させると共に、他側端部６０ｂの背面を縦片６１ａの前面に近接させる。
【００３６】
次に、図４（ｄ）に示すように、照明前板６０の他側端部６０ｂの前面を指で後方に押し、他側端部６０ｂの背面を縦片６１ａの前面に当接させる。この時、照明前板６０の前面を後方に押圧して、照明前板６０の背面を縦片６１ａの前面に面接触させることで、照明前板６０の面が前後方向を向くようになり、一側端部６０ａの前面が一方の前片８１の背面に当接する。また、薄片６２は、指で摘まんだ他部を照明前板６０の下面と照明収納空間６の底部との間に押し込んで収納することができ、次回照明前板６０を取り外して取り付ける際に薄片６２を利用することができ、また収納している薄片が邪魔にならない。
【００３７】
そして、図４（ｅ）に示すように、ビス等の固着具を、収納部２０側から側板２７を介して照明前板６０の側端面に螺着したり、前方から照明前板６０を介して縦片６１ａに穿設した固着孔に螺着したりして、照明前板６０をキャビネット部２１に固定する。
【００３８】
本発明においては、薄片６２上に照明前板６０を載置して薄片６２を摘まんで動かすことで、指を照明前板６０の後方に挿入して照明前板６０の一側端部６０ａの背面を前方に押すことなく、容易に照明前板６０の一側端部６０ａの前面を一方の前片８１の背面に当接させることができて、照明前板６０を照明収納空間６の前端部に位置させて固定する作業が容易となる。
【符号の説明】
【００３９】
１    洗面台
２    ミラーキャビネット
２０  収納部
２１  キャビネット部
２１ａ  一方のキャビネット部
２１ｂ  他方のキャビネット部
２２  扉
２４  背板
２５  棚板
２６  底板
２７  側板
２８  挿通口
２９  仕切り板
３    鏡
４    洗面化粧台
５    連通空間
６    照明収納空間
６０  照明前板
６０ａ  一側端部
６０ｂ  他側端部
６１  被当接部
６１ａ  縦片
６２  薄片
７    照明器具
８    反射部材
８０  反射部
８１  一方の前片
８２  連設片
８３  他方の前片
【図１】
2010253062.tif 000003
【図２】
2010253062.tif 000004
【図３】
2010253062.tif 000005
【図４】
2010253062.tif 000006